(57)【要約】【課題】裏紙を利用した原稿の読み取りであっても原稿が裏表逆にセットされていることを検知することが可能な画像読取装置を提供すること。【解決手段】原稿の画像を光学的に読み取る画像読取装置１は、読み取った画像から前記原稿が裏紙であることを示す所定のマークを検知する裏紙検知部１０７と、裏紙検知部１０７が前記所定のマークを検知した場合に、その旨をユーザに報知する手段（表示手段１１０及びオペレーションパネル１０２や、報知手段１１１）と、を備える。【選択図】図１
2012109910.tif 000002
【特許請求の範囲】
【請求項１】
原稿の画像を光学的に読み取る画像読取装置であって、
読み取った画像から前記原稿が裏紙であることを示す所定のマークを検知する裏紙検知手段と、
前記裏紙検知手段が前記所定のマークを検知した場合に、その旨をユーザに報知する手段と、
を備えることを特徴とする画像読取装置。
【請求項２】
さらに、読み取った画像から前記原稿が白紙であることを検知する白紙検知手段を備えることを特徴とする請求項１記載の画像読取装置。
【請求項３】
前記白紙検知手段は、走査線ごとに逐次、白紙の可能性があることを検知し、規定走査線数にわたって前記白紙の可能性があることが検知された場合に、複数の走査線数分の前記白紙の可能性があることの検知をスキップし、再度前記白紙の可能性があることの検知を再開し、前記スキップと前記白紙の可能性があることの検知を繰り返した後、検知を実行した走査線のすべてにおいて前記白紙の可能性があることが検知された場合に、前記原稿が白紙であることを検知することを特徴とする請求項２記載の画像読取装置。
【請求項４】
前記所定のマークが、原稿の対角線に沿う形状のマークであることを特徴とする請求項１から３のいずれか１項記載の画像読取装置。
【請求項５】
前記裏紙検知手段による検知が、高解像度による第１の原稿読取に先立って行われる低解像度による第２の原稿読取時に実行されることを特徴とする請求項１から４のいずれか１項記載の画像読取装置。
【発明の詳細な説明】
【技術分野】
【０００１】
本発明は、画像読取装置に関し、特に、読み取る原稿が裏表逆にセットされていることを検知する技術に関する。
【背景技術】
【０００２】
本発明に関連する技術が記載された文献として、特許文献１を挙げる。
特許文献１には、白紙原稿検出のプリスキャンを高速に行い、ファクシミリ等のプリスキャン可能なディジタル画像読取装置の性能を向上させることを目的とした発明が記載されている。
【発明の概要】
【発明が解決しようとする課題】
【０００３】
画像読取装置の技術分野においては、ユーザが原稿の裏表を間違えて、裏表逆に原稿を読取台に載置したような場合の不都合を解消するために、裏表を確認する機能を持たせることが従来知られている。この裏表を確認する機能は、通常、白紙原稿を検出することによって行われる（例えば、特許文献１）。
【０００４】
白紙原稿検出機能は、例えば、本スキャンの前にプリスキャンを行い、原稿の読み取り面が白紙であるか否かを確認し、白紙である場合にユーザに向けて警告等の報知を行うものである。通常は、コピーやファクシミリ等のためにスキャンを行うのであるから、ユーザがわざわざ白紙を読み取らせることは考えにくく、原稿の裏表を間違えて読取台に載置したのであろう、という前提でこの白紙原稿の検出が行われている。
【０００５】
ところが、オフィスにおいては、コスト削減意識の高まりから、何かを印刷した普通紙の裏面を再利用することが広く行われている（いわゆる「裏紙」）。この裏紙を利用する場合では、前述の前提が成り立たない。白紙原稿を検出する方法を使えないため、原稿が逆にセットされていることを画像読取装置は検知できない。
【０００６】
そこで本発明は、上記実情に鑑みて、裏紙を利用した原稿の読み取りであっても原稿が裏表逆にセットされていることを検知することが可能な画像読取装置を提供することを目的とする。
【課題を解決するための手段】
【０００７】
上記目的を達成するため、本発明は、第１の態様として、原稿の画像を光学的に読み取る画像読取装置であって、読み取った画像から前記原稿が裏紙であることを示す所定のマークを検知する裏紙検知手段と、前記裏紙検知手段が前記所定のマークを検知した場合に、その旨をユーザに報知する手段と、を備えることを特徴とする画像読取装置を提供するものである。
【発明の効果】
【０００８】
本発明によれば、裏紙を利用した原稿の読み取りであっても原稿が裏表逆にセットされていることを検知することが可能な画像読取装置を提供することが可能となる。
【図面の簡単な説明】
【０００９】
【図１】本発明の実施形態の構成を示すブロック図である。
【図２】本発明の実施形態の裏紙検知部により検知される裏紙の一例を示す図である。
【図３】本発明の実施形態のプレスキャン動作の流れを示すフローチャート図である。
【図４】本発明の実施形態による所定のマーク検知処理の流れを示すフローチャート図である。
【発明を実施するための形態】
【００１０】
図１は、本実施形態の構成を示すブロック図である。
図示のように、本実施形態に係る画像読取装置１は、装置全体を制御するコントローラ１０１を中心に、オペレーションパネル１０２、画像読取手段１０３、画像検知手段１０５、画像処理手段１０８、原稿排紙手段１０９、表示手段１１０、報知手段１１１が接続されている。
【００１１】
オペレーションパネル１０２は、ユーザがスキャン動作の開始などを制御するための操作パネルである。また、オペレーションパネル１０２は、不図示のスキャン開始ボタンを有する。
【００１２】
画像読取手段１０３は、不図示の走査体を段階的に移動させ、スキャン制御を行い原稿のスキャンを実施する。また、画像読取手段１０３は、走査体の移動などを制御するスキャン制御部１０４を有する。スキャン制御部１０４の制御により、走査体は、被走査物（原稿）を走査しつつ、所定の条件を満たしながら所定の走査線数である規定走査数に達すると、走査をせずに移動するという、段階的な移動を実行する。
【００１３】
画像検知手段１０５は、白紙検知部１０６と裏紙検知部１０７を有する。白紙検知部１０６は、画像読取手段１０３にセットされた原稿の読み取り面が白紙であることを検知する機能を備える。一方で、裏紙検知部１０７は、画像読取手段１０３にセットされた原稿の読み取り面に所定のマークがあるか否かを検知し、所定のマークがあると判断した場合に裏紙を検知したとする。
【００１４】
すなわち、画像検知手段１０５は、白紙検知部１０６と裏紙検知部１０７で、スキャン面が白紙か×マークなどの特定のマーキングがされた裏紙であるかを検知する。
本実施形態においては、所定のマークを、原稿の対角線にほぼ沿う形で手書きされた×マークであることとする（図２参照）。
なお、白紙検知と、裏紙検知は、高解像度で実行する本スキャンの前に低解像度で実行されるプリスキャン時に行われる。
【００１５】
画像処理手段１０８は、画像読取手段１０３によりスキャンを実施し、画像検知手段１０５の白紙検知部１０６と裏紙検知部１０７での検知結果に基づき、スキャン画像をコントローラ１０１に入力する。
【００１６】
原稿排紙手段１０９は、画像処理手段１０８によりスキャン済みの原稿を排紙する。
表示手段１１０は、画像検知手段１０５で白紙、裏紙検知された場合、オペレーションパネル１０２上の液晶ディスプレイにメッセージを表示する。
報知手段１１１は、画像検知手段１０５で白紙、裏紙検知された場合にブザーでユーザに報知する。
すなわち、オペレーションパネル１０２と表示手段１１０、或いは、報知手段１１１は、画像読取装置１により裏紙である原稿が裏表逆にセットされていることが検知された場合に、その旨をユーザに報知する手段として機能する。
【００１７】
コントローラ１０１は、オペレーションパネル１０２からユーザによりスキャン開始ボタン押下がなされると、画像読取手段１０３を制御して、走査体を段階的に移動させ、スキャン制御を行う。
【００１８】
また、コントローラ１０１は、スキャン実施と同時に、画像検知手段１０５の白紙検知部１０６と裏紙検知部１０７で、スキャン面が白紙か×マークなどの特定のマーキングがされた裏紙であるかを検知させ、画像処理手段１０８で、画像検知手段１０５の白紙検知部１０６と裏紙検知部１０７での検知結果に基づき、スキャン画像を形成させる。
【００１９】
白紙、裏紙検知されなかった場合は、原稿排紙手段１０９よりスキャン原稿を排紙させる。白紙、裏紙検知された場合は、表示手段１１０でオペレーションパネル１０２上の液晶ディスプレイにメッセージを表示させる。同時に報知手段１１１によりブザーでユーザーに報知させる。
【００２０】
図３は、図１にその構成を示した本実施形態によるプレスキャン動作の流れを示すフローチャート図である。図３に示す各処理の主体は、特に言及がない場合、コントローラ１０１である。以下、各処理を順に説明する。
【００２１】
まず、ユーザが、スキャン対象の原稿をセットする（ステップＳ１０１）。
次に、コントローラ１０１が、スキャン対象の原稿がセットされたかどうか確認する（ステップＳ１０２）。
次に、ユーザが、オペレーションパネル１０２のスキャン開始ボタンを押下する（ステップＳ１０３）。
なお、Ｓ１０１とＳ１０３は、ユーザの行う動作であるが説明の便宜上、処理のように扱って図面には記載する。ユーザの行う動作はＳ１０１とＳ１０３のみであって他の処理動作は画像読取装置１の各部が実行する。
【００２２】
次に、画像読取手段１０３が、走査体を段階的に移動させ、スキャン制御を行い原稿のスキャンを実施する（ステップＳ１０４）。
次に、画像検知手段１０５が、原稿のスキャン面が白であるか、それとも白ではなく何か印刷されているか確認し、白である場合は、走査体を移動させ、規定走査数に到達するまでチェックを繰り返す（ステップＳ１０５／ステップＳ１０６）。
【００２３】
白ではなく何か印刷されている場合で、×マークなどの特定のマーキングがされているかどうかを検知し、検知した場合は、スキャン面が裏紙面であると判断し、ＬＣＤにスキャン面が裏紙である旨のメッセージを表示する（ステップＳ１０７／ステップＳ１１３）。同時にブザー音でスキャン面が裏紙であることを報知する（ステップ１４）。
この所定のマーク検知処理については、図４を参照して後述する。
【００２４】
規定走査数までスキャン面が白である場合は、白紙面の可能性が高いと判断し、走査体をセンターラインの手前までスキップさせ、スキャン時間の短縮を図る（ステップＳ１０８）。
【００２５】
原稿のスキャン面が白であるか、それとも白ではなく何か印刷されているか確認し、白である場合は、走査体を移動させ、センターラインに到達するまでチェックを繰り返す（ステップＳ１０９／ステップＳ１１０）。
また、白ではなく何か印刷されている場合は、通常のスキャンを実施して終了する（ステップＳ１０９のＮＯ／ステップＳ１１５）。
【００２６】
原稿のスキャン面が白であるか、それとも白ではなく何か印刷されているか確認し、白である場合は、走査体を移動させ、規定走査数に到達するまでチェックを繰り返す。（ステップＳ１１１／ステップＳ１１２）。
また、白ではなく何か印刷されている場合は、通常のスキャンを実施して終了する（ステップＳ１１１のＮｏ／ステップＳ１１５）。
【００２７】
規定走査数までスキャンを実施し、スキャン面が白であった場合は、白紙面であると判断し、液晶ディスプレイにスキャン面が白紙である旨のメッセージを表示する（ステップＳ１１３）。同時にブザー音でスキャン面が白紙であることを報知する（ステップＳ１１４）。
【００２８】
図３のステップＳ１０５、Ｓ１０６、Ｓ１０８〜Ｓ１１２の処理は、換言すれば、白紙検知を段階的に実行する処理の一例である。つまり、白紙検知部１０６は、走査線ごとに逐次、白紙の可能性があることを検知する（Ｓ１０５）。そして、規定走査線数にわたって前記白紙の可能性があることが検知された場合に（Ｓ１０６）、複数の走査線数分の前記白紙の可能性があることの検知をスキップする（Ｓ１０８）。スキップ後、再度前記白紙の可能性があることの検知を再開する。白紙検知部１０６は、この、前記スキップと前記白紙の可能性があることの検知を繰り返した後、検知を実行した走査線のすべてにおいて前記白紙の可能性があることが検知された場合に、前記原稿が白紙であることを検知する（一度も「スキャン面が白でない」と判断されなかった場合に白紙であると検知する）。
【００２９】
図４は、本実施形態における所定のマーク検出処理の流れを示すフローチャート図である。
まず、裏紙検知部１０７が、プレスキャンされた画像から所定のマークの検知を試みる（ステップＳ１０７ａ）。前述したように、本実施形態においてはこの所定のマークを、×マークとしている（図２参照）。
【００３０】
検知した場合、画像読取装置１は、その旨をユーザに報知する（ステップ１０７ｂ）。このステップは、図３のステップＳ１１３、Ｓ１１４と同じである。
【００３１】
検知しなかった場合、画像読取装置１は、自動的に本スキャンに移る（ステップ１０７ｃ）。このステップは、図３のステップＳ１１５と同じである。
【００３２】
上移した本実施形態によれば、裏紙を利用した原稿の読み取りであっても原稿が裏表逆にセットされていることを検知することが可能になる。
また、裏表逆にセットされている旨をユーザに報知することが可能になる。
【００３３】
また、白紙である旨も検知し、ユーザに報知することが可能になる。
また、段階的に白紙検知を行うため、白紙検知にかかる時間を短縮することができる。
また、破棄する用紙であったり不要な用紙であったりすることを示すために一般的に用いられる、原稿の四隅を結ぶ対角線にほぼ沿う形状のマーク（×マーク）を裏紙検知に用いるので、一般ユーザにとって利便性が向上する。
また、裏紙検知がプリスキャン時に行われるため、本スキャン時に行われる場合に比べてかかる時間を短縮することができる。
【符号の説明】
【００３４】
１    画像読取装置
１０１    コントローラ
１０２    オペレーションパネル
１０３    画像読取手段
１０４    スキャン制御部
１０５    画像検知手段
１０６    白紙検知部
１０７    裏紙検知部
１０８    画像処理手段
１０９    原稿排紙手段
１１０    表示手段
１１１    報知手段
【先行技術文献】
【特許文献】
【００３５】
【特許文献１】特許第３３３７１５６号公報
【図１】
2012109910.tif 000003
【図２】
2012109910.tif 000004
【図３】
2012109910.tif 000005
【図４】
2012109910.tif 000006